(57)【要約】【課題】ミストノズルから低温の湯水が噴出されることに起因して使用者に不快感を与えることを抑制できるようにしながら、使用者がミスト運転の開始を指令してから待ち時間の少ない状態でミスト状に噴出される湯水を浴びたいと希望する場合に、それを満足させることが可能となるミストサウナ装置を提供する。【解決手段】予備運転指令手段にて予備運転が指令されると、通流状態切換手段２８、３７、３８を、ミストノズル１１への湯水の供給を停止する停止状態に切り換えた状態で加熱手段２９を作動させる予備運転処理を実行し、予備運転指令手段の指令に基づいて予備運転処理を実行している状態で、ミスト運転指令手段にてミスト運転の開始が指令されると、ミスト噴出許可条件が満たされているか否かにかかわらず、通流状態切換手段をミストノズル１１に湯水を供給する供給状態に切り換えるミスト運転処理を実行する。【選択図】図１
2010233638.tif 000002
【特許請求の範囲】
【請求項１】
湯水供給用流路を通して供給される湯水を浴室内にミスト状に噴出するミストノズルと、
前記湯水供給用流路の途中に配設されて、前記ミストノズルに供給される湯水を加熱する加熱手段と、
前記湯水供給用流路の途中に配設されて、前記ミストノズルに湯水を供給する供給状態と湯水の供給を停止する停止状態とに切り換える通流状態切換手段と、
ミスト運転を指令するミスト運転指令手段と、
運転を制御する運転制御手段とが備えられ、
前記運転制御手段が、
前記ミスト運転指令手段にてミスト運転の開始が指令されると、前記通流状態切換手段を前記停止状態に切り換えた状態で前記加熱手段を作動させる予備運転処理、及び、ミスト噴出許可条件が満たされると、前記通流状態切換手段を前記供給状態に切り換えるミスト運転処理を実行するように構成されているミストサウナ装置であって、
前記ミスト運転指令手段、及び、予備運転を指令する予備運転指令手段が、前記浴室内に設けられ、
前記運転制御手段が、
前記予備運転指令手段にて予備運転が指令されると、前記予備運転処理を実行するように構成され、且つ、
前記予備運転指令手段の指令に基づいて前記予備運転処理を実行している状態で、前記ミスト運転指令手段にてミスト運転の開始が指令されると、前記ミスト噴出許可条件が満たされているか否かにかかわらず、前記ミスト運転処理を実行するように構成されているミストサウナ装置。
【請求項２】
温風を前記浴室内に吹出して前記浴室を暖房する浴室暖房手段と、前記浴室の温度を検出する浴室温度検出手段とが備えられ、
前記運転制御手段が、
前記予備運転処理として、前記通流状態切換手段を前記停止状態に切り換えた状態で前記加熱手段を作動させることに加えて、前記浴室暖房手段を作動させるように構成され、
前記浴室温度検出手段にて検出される前記浴室の温度が設定温度以上になると、前記ミスト噴出許可条件が満たされたものとして、前記ミスト運転処理を実行するように構成されている請求項１記載のミストサウナ装置。
【請求項３】
前記浴室及び脱衣室の夫々に前記運転制御手段に運転指令を指令するためのリモコン操作部が備えられ、
前記浴室側のリモコン操作部及び前記脱衣室側のリモコン操作部の夫々に、前記ミスト運転指令手段が備えられ、
前記浴室側のリモコン操作部に前記予備運転指令手段が備えられている請求項１又は２記載のミストサウナ装置。
【発明の詳細な説明】
【技術分野】
【０００１】
本発明は、湯水供給用流路を通して供給される湯水を浴室内にミスト状に噴出するミストノズルと、前記湯水供給用流路の途中に配設されて、前記ミストノズルに供給される湯水を加熱する加熱手段と、前記湯水供給用流路の途中に配設されて、前記ミストノズルに湯水を供給する供給状態と湯水の供給を停止する停止状態とに切り換える通流状態切換手段と、ミスト運転を指令するミスト運転指令手段と、運転を制御する運転制御手段とが備えられ、前記運転制御手段が、前記ミスト運転指令手段にてミスト運転の開始が指令されると、前記通流状態切換手段を前記停止状態に切り換えた状態で前記加熱手段を作動させる予備運転処理、及び、ミスト噴出許可条件が満たされると、前記通流状態切換手段を前記供給状態に切り換えるミスト運転処理を実行するように構成されているミストサウナ装置に関する。
【背景技術】
【０００２】
かかるミストサウナ装置は、ミスト運転の開始が指令されたときに、予備運転処理を行わせて、湯水供給用流路内の湯水を予熱することにより、ミスト噴出許可条件が満たされてミスト運転処理を行うときに、ミストノズルから加熱された温かい湯水が噴出されるようにして、ミストノズルから低温の湯水が噴出されることに起因して使用者に不快感を与えることを抑制できるようにしたものである。
【０００３】
かかるミストサウナ装置の従来例として、次のように構成されたものがある。
すなわち、加熱手段が、熱源機より熱媒が循環供給される湯水加熱用熱交換器にて構成され、熱源機より熱媒が循環供給される空気加熱用熱交換器、及び、その空気加熱用熱交換器を通して浴室から吸引した空気を流動させ且つ加熱した空気を浴室に供給するように通風する通風手段が設けられ、さらに、通風手段によって浴室から吸引される空気の温度を検出する浴室温度検出手段が設けられている。そして、例えば、脱衣室リモコンや浴室リモコン等に備えられたミスト運転指令手段としてのミストサウナスイッチが操作されて、ミスト運転の開始指令が指令されると、運転制御手段が、予備運転処理として、通流状態切換手段を停止状態に切り換えた状態で、湯水加熱用熱交換器及び空気加熱用熱交換器に対する熱媒の供給を開始し、供給される熱媒の温度が設定温度（例えば６０℃）以上になると、通風手段の作動を開始する処理を実行するようになっており、その後、浴室温度検出手段にて検出される浴室の温度が設定温度（例えば２８℃）以上になると、ミスト噴出許可条件が満たされたものとして、通流状態切換手段を供給状態に切り換えるミスト運転処理を実行して、浴室内に湯水をミスト状に噴出するように構成されたものがある（例えば、特許文献１参照。）。
【０００４】
又、別の従来例として、次のように構成されたものがある。
すなわち、加熱手段が、熱源機より熱媒が循環供給される熱交換器にて構成され、運転制御手段が、ミスト運転の開始指令が指令されると、予備運転処理として、通流状態切換手段を停止状態に切り換えた状態で、熱交換器に対して熱媒の供給を開始するようになっており、その後、湯水供給用流路における熱交換器の近くに位置する流路部分における湯水の温度を検出する湯水温度検出手段が、設定温度以上の温度を検出すると、ミスト噴出許可条件が満たされたものとして、通流状態切換手段を供給状態に切り換えるミスト運転処理を実行して、浴室内に湯水をミスト状に噴出するように構成されたものがある（例えば、特許文献２参照。）。
【先行技術文献】
【特許文献】
【０００５】
【特許文献１】特開２００６−０７１４４３号公報
【特許文献２】特開２００７−１３６０４８号公報
【発明の概要】
【発明が解決しようとする課題】
【０００６】
上記ミストサウナ装置を使用するにあたり、使用者が浴室内でミスト運転の開始を指令する場合、ミスト運転の開始を指令してから湯水が噴出されるまでに少し時間がかかることがあっても、ミストノズルから湯水が噴出されるときに加熱された温かい湯水が噴出されることを希望するのが一般的であるが、ミスト運転の開始を指令してから待ち時間の少ない状態ですぐにミストノズルから湯水が噴出されることを希望する使用者も存在する。
【０００７】
説明を加えると、かかるミストサウナ装置を使用する場合、使用者が入浴するために浴室に入室する前に、あるいは、浴室に入室した直後にミスト運転の開始を指令しておき、使用者が浴槽で温まったり洗い場で身体を洗ったのちに、加熱された温かい湯水をミストノズルから噴出させるという使用形態が一般的であるが、例えば、使用者が浴室に入室した直後にミスト運転の開始を指令すべきところ、その操作を忘れてしまい、浴室に入室してからある程度時間が経過してからミスト運転の開始を指令することがある。
このように浴室に入室してからある程度時間が経過していると、使用者は浴槽で温まったりあるいはシャワーを浴びること等により、使用者の身体が温まっている状態であると考えることができるから、このような場合には、ミスト運転の開始を指令してから待ち時間の少ない状態ですぐにミストノズルから湯水を噴出させることが望まれるものである。
【０００８】
又、夏期等の外気温度が高いときに屋外で運動を行った後に、浴室に入ったときに直ちにミスト状の湯水を浴びたいような場合があるが、このような場合にも、ミスト運転の開始を指令してから待ち時間の少ない状態でミストノズルから湯水が噴出されることが望まれるものである。
【０００９】
ところで、上述したようにミスト運転の開始を指令してから待ち時間の少ない状態でミストノズルから湯水を噴出させることが望まれる場合においては、充分に加熱されていない低温の湯水がミストノズルから噴出することがあっても、使用者は身体が充分に温まっており、ミスト状の湯水を浴びても不快に感じるおそれは少ないと考えられる。
【００１０】
しかしながら、上記従来構成では、使用者がすぐにミスト状に噴出される湯水を浴びたいと希望するような場合であっても、ミスト運転の開始指令が指令されてから湯水が噴出されるまでに時間がかかるものとなり、使用者が不快に感じる等の不利な面があった。
【００１１】
説明を加えると、例えば、特許文献１に記載されるものでは、予備運転処理として、通流状態切換手段を停止状態に切り換えた状態で、湯水加熱用熱交換器及び空気加熱用熱交換器に対する熱媒の供給を開始し、供給される熱媒の温度が設定温度以上になると、通風手段の作動を開始する処理を実行するが、このように熱媒の供給を行い且つ通風手段による作動を開始しても、浴室の温度が設定温度以上になるまでには時間がかかるものであり、そのことが原因でミスト運転の開始指令が指令されてから湯水が噴出されるまでに時間がかかるおそれがあった。
【００１２】
又、特許文献２に記載されるものでは、予備運転処理として、通流状態切換手段を停止状態に切り換えた状態で、熱源機より熱交換器に対して熱媒の供給を開始するようになっているが、熱交換器の近くに位置する流路部分での湯水の温度が設定温度以上の温度になるまでに時間がかかるものであり、そのことが原因でミスト運転の開始が指令されてから湯水が噴出されるまでに時間がかかるおそれがあった。
【００１３】
本発明の目的は、ミストノズルから低温の湯水が噴出されることに起因して使用者に不快感を与えることを抑制できるようにしながら、使用者がミスト運転の開始を指令してから待ち時間の少ない状態でミスト状に噴出される湯水を浴びたいと希望する場合に、それを満足させることが可能となるミストサウナ装置を提供する点にある。
【課題を解決するための手段】
【００１４】
本発明に係るミストサウナ装置は、湯水供給用流路を通して供給される湯水を浴室内にミスト状に噴出するミストノズルと、
前記湯水供給用流路の途中に配設されて、前記ミストノズルに供給される湯水を加熱する加熱手段と、
前記湯水供給用流路の途中に配設されて、前記ミストノズルに湯水を供給する供給状態と湯水の供給を停止する停止状態とに切り換える通流状態切換手段と、
ミスト運転を指令するミスト運転指令手段と、
運転を制御する運転制御手段とが備えられ、
前記運転制御手段が、
前記ミスト運転指令手段にてミスト運転の開始が指令されると、前記通流状態切換手段を前記停止状態に切り換えた状態で前記加熱手段を作動させる予備運転処理、及び、ミスト噴出許可条件が満たされると、前記通流状態切換手段を前記供給状態に切り換えるミスト運転処理を実行するように構成されているものであって、その第１特徴構成は、
前記ミスト運転指令手段、及び、予備運転を指令する予備運転指令手段が前記浴室内に設けられ、
前記運転制御手段が、
前記予備運転指令手段にて予備運転が指令されると、前記予備運転処理を実行するように構成され、且つ、
前記予備運転指令手段の指令に基づいて前記予備運転処理を実行している状態で、前記ミスト運転指令手段にてミスト運転の開始が指令されると、前記ミスト噴出許可条件が満たされているか否かにかかわらず、前記ミスト運転処理を実行するように構成されている点にある。
【００１５】
すなわち、運転制御手段は、浴室内に設けられる予備運転指令手段にて予備運転が指令されると、通流状態切換手段を停止状態に切り換えた状態で加熱手段を作動させる予備運転処理を実行する。そして、予備運転指令手段の指令に基づいて予備運転処理を実行している状態で、浴室内に設けられるミスト運転指令手段にてミスト運転の開始が指令されると、運転制御手段は、ミスト噴出許可条件が満たされているか否かにかかわらず、通流状態切換手段を供給状態に切り換えるミスト運転処理を実行する。
【００１６】
一方、運転制御手段は、予備運転指令手段にて予備運転が指令されることなく、ミスト運転指令手段にてミスト運転の開始が指令されると、通流状態切換手段を停止状態に切り換えた状態で加熱手段を作動させる予備運転処理を実行して、ミスト噴出許可条件が満たされると、通流状態切換手段を供給状態に切り換えるミスト運転処理を実行する。
【００１７】
従って、例えば、使用者が入浴するために浴室に入室してから、ある程度時間が経過して身体が温まったのちにミスト運転の開始を指令するような場合や、使用者が夏期等の外気温度が高いときに屋外で運動を行った後に浴室にてミスト状の湯水を浴びるためにミスト運転の開始を指令するような場合等においては、浴室内に設けられる予備運転指令手段にて予備運転を指令したのちに、ミスト運転指令手段にてミスト運転の開始を指令することにより、ミスト運転の開始を指令してから待ち時間の少ない状態でミストノズルから湯水を噴出させることができる。
【００１８】
又、使用者が入浴するために浴室に入ったのちに、できるだけ高温のミスト状の湯水を浴びたいと希望するような場合であって、しかも、希望するタイミングでミスト状の湯水を浴びたいと希望するような場合であれば、浴室に入ったときに予め予備運転指令手段にて予備運転を指令しておき、ミスト状の湯水を浴びたいときにミスト運転指令手段にてミスト運転の開始を指令することにより、ミスト運転の開始を指令してから待ち時間の少ない状態でミストノズルから高温の湯水を噴出させることができる。
【００１９】
さらに、使用者が入浴するために浴室に入ったのちに確実に高温のミスト状の湯水を浴びたいと希望するような場合であれば、予備運転指令手段にて予備運転を指令することなく、ミスト運転指令手段にてミスト運転の開始を指令することにより、予備運転処理が実行されてミスト噴出許可条件が満たされたのちにミスト運転処理が実行されるから、ミストノズルから加熱された高温の湯水をミスト状に噴出させることができるものとなり、ミストノズルから低温の湯水が噴出されることに起因して使用者に不快感を与えることがない。
【００２０】
ところで、予備運転が指令されたのちに、直ちにミスト運転指令手段にてミスト運転の開始が指令されると、加熱手段により加熱されていない状態の湯水がミストノズルから噴出されることがあるが、そのとき、使用者は、予備運転指令手段による予備運転の指令と、ミスト運転指令手段によるミスト運転の開始の指令とを行うことになるので、使用者がミスト状に噴出される湯水がたとえ冷たくても、湯水を浴びることを希望していることが明らかであるから、使用者が不快に感じるおそれは少ない。
【００２１】
一方、使用者が、ミストノズルから湯水が噴出されるときに確実に高温のミスト状の湯水が噴出されることを希望するような場合に、誤操作により予備運転指令手段にて予備運転を指令することがあっても、その指令に基づいてすぐにミストノズルから湯水が噴出されることはないので、ミストノズルから低温の湯水が誤って噴出されることに起因して使用者に不快感を与えることがない。
【００２２】
要するに、第１特徴構成によれば、ミストノズルから低温の湯水が噴出されることに起因して使用者に不快感を与えることを抑制できるようにしながら、使用者がミスト運転の開始を指令してから待ち時間の少ない状態でミスト状に噴出される湯水を浴びたいと希望する場合に、それを満足させることが可能となるミストサウナ装置を提供できるに至った。
【００２３】
本発明の第２特徴構成は、第１特徴構成に加えて、
温風を前記浴室内に吹出して前記浴室を暖房する浴室暖房手段と、前記浴室の温度を検出する浴室温度検出手段とが備えられ、
前記運転制御手段が、
前記予備運転処理として、前記通流状態切換手段を前記停止状態に切り換えた状態で前記加熱手段を作動させることに加えて、前記浴室暖房手段を作動させるように構成され、
前記浴室温度検出手段にて検出される前記浴室の温度が設定温度以上になると、前記ミスト噴出許可条件が満たされたものとして、前記ミスト運転処理を実行するように構成されている点にある。
【００２４】
すなわち、予備運転指令手段にて予備運転が指令されることなく、ミスト運転指令手段にてミスト運転の開始が指令されると、運転制御手段が、通流状態切換手段を停止状態に切り換えた状態で加熱手段を作動させることに加えて、浴室暖房手段を作動させる予備運転処理を実行するのであり、そして、ミスト噴出許可条件が満たされると、通流状態切換手段を供給状態に切り換えるミスト運転処理を実行して、ミストノズルから湯水を噴出させることになる。
【００２５】
一方、予備運転指令手段にて予備運転が指令されたのちに、ミスト運転指令手段にてミスト運転の開始が指令される場合には、運転制御手段は、予備運転が指令されると、通流状態切換手段を前記停止状態に切り換えた状態で加熱手段を作動させることに加えて、浴室暖房手段を作動させる予備運転処理を実行し、ミスト運転指令手段にてミスト運転の開始が指令されると、ミスト噴出許可条件が満たされているか否かにかかわらず、通流状態切換手段を供給状態に切り換えるミスト運転処理を実行して、ミストノズルから湯水を噴出させることになる。
【００２６】
つまり、予備運転指令手段にて予備運転が指令されることなく、ミスト運転指令手段にてミスト運転の開始が指令される場合には、ミストノズルから湯水を噴出させるときは、湯水が加熱されていることに加えて、浴室の温度が上昇していることになり、使用者は暖房された暖かい浴室内でミスト状に噴出される高温の湯水を浴びることができる。
【００２７】
そして、予備運転指令手段にて予備運転が指令されたのちに、すぐにミスト運転指令手段にてミスト運転の開始が指令される場合には、ミストノズルから湯水を噴出させるときに、浴室の温度が上昇していないことも考えられるが、この場合は、使用者は待ち時間の少ない状態で湯水をミスト状に噴出させることを希望する状態であって、使用者の意思によりミストノズルから湯水を噴出させるものであるから、使用者が不快に感じるおそれは少ない。尚、そのとき、予備運転指令手段にて予備運転が指令されて浴室の暖房が行われているから、その後の使用においては、浴室の温度が上昇することになり、使用者は暖房された暖かい浴室内で快適な状態でミスト状に噴出される湯水を浴びることができる。
【００２８】
又、使用者が予め予備運転指令手段にて予備運転が指令されたのちに、ある程度の時間が経過してからミスト運転指令手段にてミスト運転の開始が指令される場合には、ミスト運転を開始したのち待ち時間の少ない状態でミストノズルから湯水を噴出させることができ、しかも、そのときは、湯水が加熱されていることに加えて、浴室の温度が上昇していることになり、暖房された暖かい浴室内で快適にミスト状に噴出される湯水を浴びることができる。
【００２９】
要するに、第２特徴構成によれば、暖房された暖かい浴室内で快適にミスト状に噴出される湯水を浴びることができ、使用者が快適に使用することが可能となるミストサウナ装置を提供できるに至った。
【００３０】
本発明の第３特徴構成は、第１特徴構成又は第２特徴構成に加えて、
前記浴室及び脱衣室の夫々に前記運転制御手段に運転指令を指令するためのリモコン操作部が備えられ、
前記浴室側のリモコン操作部及び前記脱衣室側のリモコン操作部の夫々に、前記ミスト運転指令手段が備えられ、
前記浴室側のリモコン操作部に前記予備運転指令手段が備えられている点にある。
【００３１】
すなわち、入浴前の使用者がミスト運転を指令するような場合には、脱衣室側のリモコン操作部に備えられたミスト運転指令手段を操作してミスト運転を指令することができる。
【００３２】
一方、例えば、使用者が入浴するために浴室に入室してからある程度時間が経過して身体が温まったのちにミスト運転の開始を指令するような場合や、使用者が夏期等の外気温度が高いときに屋外で運動を行った後に浴室にてミスト状の湯水を浴びるためにミスト運転の開始を指令するような場合等においては、浴室側のリモコン操作部に備えられる予備運転指令手段にて予備運転を指令したのちに、すぐに浴室側のリモコン操作部に備えられたミスト運転指令手段にてミスト運転の開始を指令することにより対応できる。
【００３３】
又、使用者が入浴するために浴室に入ったのちに、できるだけ高温のミスト状の湯水を浴びたいと希望するような場合であって、しかも、希望するタイミングでミスト状の湯水を浴びたいと希望するような場合であれば、入浴してすぐに浴室側のリモコン操作部に備えられる予備運転指令手段にて予備運転を指令しておき、ミスト状の湯水を浴びたいときに浴室側のリモコン操作部に備えられたミスト運転指令手段にてミスト運転の開始を指令することにより対応できる。
【００３４】
さらに、使用者が入浴するために浴室に入ったのちに確実に高温のミスト状の湯水を浴びたいと希望するような場合であれば、入浴してすぐに予備運転指令手段にて予備運転を指令することなく浴室側のリモコン操作部に備えられたミスト運転指令手段にてミスト運転の開始を指令することにより対応できる。
【００３５】
ところで、脱衣室側のリモコン操作部に予備運転指令手段を設けることも考えられるが、浴室に入室している使用者とは別の使用者が誤操作にて予備運転指令手段にて予備運転を指令して、その後、浴室に入室している使用者がそのことを知らずに浴室側のリモコン操作部に備えられたミスト運転指令手段にてミスト運転の開始を指令すると、使用者の意思に反して、加熱されていない湯水がミストノズルから噴出され不快に感じるおそれがあるが、浴室側のリモコン操作部にのみ予備運転指令手段を備えることで、このような誤操作に起因した不利を回避できる。
【００３６】
要するに、第３特徴構成によれば、脱衣室側のリモコン操作部におけるミスト運転指令手段にてミスト運転の開始を指令する場合、及び、浴室側のリモコン操作部におけるミスト運転指令手段にてミスト運転の開始を指令する場合のいずれの場合であっても、使用者が不快に感じるおそれが少ない状態で使用することが可能となるミストサウナ装置を提供できるに至った。
【図面の簡単な説明】
【００３７】
【図１】浴室暖房乾燥機の概略構成図
【図２】浴室への設置状態を示す斜視図
【図３】脱衣室リモコン及び浴室リモコンを示す正面図
【図４】制御フローチャート
【図５】制御フローチャート
【発明を実施するための形態】
【００３８】
以下、図面に基づいて、本発明に係るミストサウナ装置をミストサウナ機能付き浴室暖房乾燥機に適用した場合の実施の形態を説明する。
図２に示すように、ミストサウナ機能付き浴室暖房乾燥機は、装置本体１と、運転を制御する運転制御手段としての運転制御部３と、浴室４内に備えられて運転制御部３に各種の制御指令を指令する浴室側のリモコン操作部としての浴室リモコンＲ１と、脱衣室に備えられて運転制御部３に各種の制御指令を指令する脱衣室側のリモコン操作部としての脱衣室リモコンＲ２とを備えて構成され、そして、熱源機２より熱媒が循環供給されるようになっている。
【００３９】
次に、装置本体１について説明する。
図２に示すように、装置本体１は、天井裏に配置してあり、吊り金具５にて天井スラブ等に吊り支持してあり、その下面を浴室４の天井板６の開口に臨ませる状態で取り付けられている。そして、図１に示すように、装置本体１は、浴室４内の空気を循環通風するための循環ファン７、その循環ファン７にて通風される空気を加熱する空調用熱交換器８、浴室４を換気するための換気ファン９、給水路１０を通して供給される湯水を浴室４内にミスト状に噴出する２個のミストノズル１１等を本体ケーシング１２内に装備して構成されている。そして、本体ケーシング１２を浴室４の天井裏に入り込ませた状態で、本体ケーシング１２の下方にグリル板１３が浴室４の天井の表面側に位置するように設置されている。
【００４０】
前記グリル板１３には、吸気口１４と吹出口１５が並設され、本体ケーシング１２内には、吸気口１４を通して浴室４内の空気を吸引して吹出口１５を通して吹出すための循環通風路１６が形成されている。又、循環ファン７が、吸気口１４に吸引作用してその吸気口１４から吸引した浴室内の空気を吹出口１５から浴室４内に吹出すように通風作用する状態で循環通風路１６内に設けられている。又、その循環通風路１６内における循環ファン７よりも通風方向上流側に空調用熱交換器８が設けられ、熱源機２から循環供給される熱媒との熱交換により、循環通風路１６内を通風する空気を加熱するよう構成されている。つまり、循環ファン７の通風作用により、吸気口１４を通して浴室４内の空気を吸引し、空調用熱交換器８にて加熱して吹出口１５を通して浴室４内に吹出して、浴室４内を暖房するように構成されている。
【００４１】
浴室４の外部に設置された熱源機２から熱媒（具体的には加熱された温水）が供給される熱媒循環路１７の往路１８が、２つの熱媒分岐路１９、２０に分岐しており、そのうちの一方の熱媒分岐路２０が空調用熱交換器８に接続され、且つ、その熱媒分岐路２０における空調用熱交換器８の下流側が熱媒循環路１７の復路２１に接続されており、熱源機２にて加熱された熱媒が熱媒循環路１７を通して空調用熱交換器８に循環供給されるように構成されている。前記一方の熱媒分岐路２０には、その熱媒分岐路２０を開閉することにより空調用熱交換器８への熱媒の供給を断続自在な熱動弁２２が設けられている。
【００４２】
循環通風路１６内における空調用熱交換器８よりも上流側の箇所には、通流する空気の温度を浴室４内の温度として検出する浴室温度検出手段としての浴室温サーミスタ２３が設けられている。又、吹出口１５には、図示しない電動モータにより揺動駆動される可動ルーバ２４が設けられ、その可動ルーバ２４により、吹出口１５から吹出される空気の吹出し方向を変更することができるように構成されている。
【００４３】
換気ファン９は、吸気口１４から吸引した浴室４内の空気を排気ダクト２５を通して外部に排気するように、本体ケーシング１２内に設けられ、その換気ファン９の通風作用により、浴室４内の空気が排気ダクト２５を通して外部に排出されて、浴室４が換気されるように構成されている。そして、グリル板１３における吸気口１４と吹出口１５との間の箇所に、２個のミストノズル１１が温水の噴出方向を下向きにした状態で支持されている。
【００４４】
本体ケーシング１２の上部には、ミスト用の温水を発生してミストノズル１１に供給するための温水発生ユニット２６が備えられている。この温水発生ユニット２６は、ミスト用ケーシング２７内に、水道等から水が供給される給水路１０、その給水路１０を開閉する給水弁２８、給水路１０から供給される水を熱源機２から循環供給される熱媒（具体的には温水）との熱交換により加熱する液液熱交換器２９、給水路１０から供給されて液液熱交換器２９にて加熱された湯水が通流する下手側通流路３０、その下手側通流路３０から分岐された排出路３１を開閉する排水弁３２、下手側通流路３０を通流する湯水の温度を検出するミスト温サーミスタ３３等が備えられている。ちなみに、液液熱交換器２９は複数の波板状の伝熱プレートを間隔をあけて積層配置したプレート式熱交換器で構成されている。
【００４５】
前記下手側通流路３０からは排出路３１とは別のミスト供給路３４が分岐形成され、このミスト供給路３４は、本体ケーシング１２内にまで延びる状態で配管されており、そのミスト供給路３４が経路途中でさらに２つの分岐路３５、３６に分岐されて、それらの分岐路３５、３６が各ミストノズル１１に夫々接続されている。そして、２つの分岐路３５、３６には、夫々、通路を開閉することにより各ミストノズル１１への湯水の供給を断続自在なミスト開閉弁３７、３８が設けられている。
【００４６】
従って、給水路１０、下手側通流路３０、ミスト供給路３４、分岐路３５、３６により、湯水供給用流路Ｙが構成され、給水弁２８及びミスト開閉弁３７、３８により、ミストノズル１１に湯水を供給する供給状態と湯水の供給を停止する停止状態とに切り換える通流状態切換手段Ｋが構成されている。又、液液熱交換器２９により、ミストノズル１１に供給される湯水を加熱する加熱手段が構成されている。
【００４７】
熱源機２から熱媒が供給される熱媒循環路１７の往路１８が分岐される２つの熱媒分岐路１９、２０のうちの他方の熱媒分岐路２０が液液熱交換器２９に接続され、且つ、その熱媒分岐路１９の液液熱交換器２９の下流側が熱媒循環路１７の復路２１に接続されており、熱源機２にて加熱された熱媒が熱媒循環路１７を通して液液熱交換器２９に循環供給されるように構成されている。又、前記他方の熱媒分岐路１９には、その熱媒分岐路１９を断続自在で且つ液液熱交換器２９への熱媒の通流量を変更調整自在な熱媒流量調整弁３９が設けられている。
又、熱媒循環路１７の往路１８には、通流する熱媒の温度を検出する熱媒温度検出手段としての熱媒サーミスタ４０が設けられている。
【００４８】
つまり、給水路１０から供給される湯水が液液熱交換器２９にて加熱され、その加熱された湯水が、下手側通流路３０及びミスト供給路３４を通してミストノズル１１に供給され、湯水をミストノズル１１から浴室４内にミスト状に噴出するミスト運転を行えるように構成されている。
【００４９】
前記排水路３１は、前回にミスト運転を実行してから長時間にわたりミスト運転が行われていない場合に、給水路１０の内部や液液熱交換器２９の内部配管等に滞留していた汚れた湯水を外部に排出させて新鮮な湯水をミストノズル１１に供給するためのものであり、排水処理を行うときは、ミスト開閉弁３７、３８を閉弁状態に維持したまま、給水弁２８及び排水弁３２を開弁状態に切り換えることで対応できるようになっている。
【００５０】
脱衣室リモコンＲ２は、図３に示すように、運転用のタイマー時間を表示するタイマー表示部４１、ミスト運転指令手段としてのミストサウナスイッチ４２、運転用タイマー時間を変更設定するためのタイマー設定スイッチ４３、可動ルーバ２４の吹き出し方向の変更を指令する風向スイッチ４４、乾燥運転を指令する乾燥スイッチ４５、浴室の暖房を行う暖房運転を指令する暖房スイッチ４６、換気ファン９を作動させる換気運転を指令する換気スイッチ４７、循環ファン７を作動させる涼風運転を指令する涼風スイッチ４８、運転を停止させる停止スイッチ４９等が設けられている。
【００５１】
一方、浴室リモコンＲ１は、図３に示すように、脱衣室リモコンＲ２と同様に、タイマー表示部４１、ミスト運転指令手段としてのミストサウナスイッチ４２、タイマー設定スイッチ４３、風向スイッチ４４、乾燥スイッチ４５、暖房スイッチ４６、換気スイッチ４７、涼風スイッチ４８、停止スイッチ４９等が設けられているが、この浴室リモコンＲ１には、それらの各スイッチとは別に、予備運転指令手段としてのスタンバイスイッチ５０が設けられている。
【００５２】
つまり、浴室リモコンＲ１及び脱衣室リモコンＲ２の夫々に、ミスト運転指令手段としてのミストサウナスイッチ４２が備えられ、浴室リモコンＲ１に予備運転指令手段としてのスタンバイスイッチ５０が備えられる。従って、ミスト運転指令手段としてのミストサウナスイッチ４２及び予備運転指令手段としてのスタンバイスイッチ５０が浴室４に設けられている。
【００５３】
タイマー運転について説明すると、運転用のタイマー時間は、ミストサウナ運転を開始してから使用者が入浴してからミストサウナ運転を自動停止するまでの運転時間であり、その運転時間が経過するとミストサウナ運転を自動で停止させるように構成されている。そして、タイマー時間は、初期設定値から時間の経過に伴って漸次減少していく状態でタイマー表示部４２に表示されるようになっており、タイマー時間の初期設定値は、タイマー設定スイッチ４３を操作することにより使用者が任意に変更設定することができるように構成されている。
【００５４】
そして、運転制御部３は、ミストサウナスイッチ４２にてミスト運転の開始が指令されると、給水弁２８及びミスト開閉弁３７、３８を閉状態に維持したまま液液熱交換器２９を作動させる予備運転処理、及び、ミスト噴出許可条件が満たされると、給水弁２８及びミスト開閉弁３７、３８を開状態に切り換えるミスト運転処理を実行するように構成されている。
又、運転制御部３は、前記予備運転処理として、給水弁２８及びミスト開閉弁３７、３８を閉状態に維持したまま液液熱交換器２９を作動させることに加えて、浴室暖房手段Ａを作動させるように構成され、浴室温サーミスタ２３にて検出される浴室４の温度が設定温度としてのミスト用設定温度以上になると、前記ミスト噴出許可条件が満たされたものとして、ミスト運転処理を実行するように構成されている。
【００５５】
さらに、運転制御部３は、スタンバイスイッチ５０が操作されることにより予備運転が指令されると、予備運転処理を実行するように構成され、且つ、スタンバイスイッチ５０の指令に基づいて予備運転処理を実行している状態で、ミストサウナスイッチ４２が操作されてミスト運転の開始が指令されると、ミスト噴出許可条件が満たされているか否かにかかわらず、ミスト運転処理を実行するように構成されている。
【００５６】
次に、図４及び図５のフローチャートを参照しながら運転制御部３のミストサウナ運転を実行する場合における制御動作について説明する。
スタンバイスイッチ５０がオン操作されていない状態で、ミストサウナスイッチ４２がオン操作されてミスト運転の開始が指令されると、熱源機２を作動させて熱媒を循環供給可能な状態に設定し（ステップ１〜４）、熱媒流量調整弁３９を開弁状態に切り換え（ステップ５、６）、さらに、熱動弁２２を開弁状態に切り換えて（ステップ７、８）、空調用熱交換器８及び液液熱交換器２９への熱媒の循環供給を開始する。次に、熱媒サーミスタ４０の検出値Ｔｎが設定温度（６０℃）以上になると、循環ファン７を作動させて浴室４の暖房を行う（ステップ９、１０、１１）。尚、詳述はしないが、このとき、可動ルーバ２４を作動させて吹出口１５から吹出される空気の吹出し方向を調整する。
【００５７】
浴室４の暖房が開始されるに伴って浴室４内の温度は上昇することになるが、浴室温サーミスタ２３にて検出される浴室４の温度Ｔｙがミスト用設定温度（２８℃）に上昇すると、ミスト噴出許可条件が満たされたと判別して、給水弁２８及びミスト開閉弁３７、３８を閉弁状態から開弁状態に切り換えるミスト運転処理を実行する（ステップ１２、１３、１４）。その結果、湯水供給用流路Ｙを通してミストノズル１１に湯水が供給され、湯水供給用流路Ｙの途中に配設された液液熱交換器２９にて加熱された湯水がミストノズル１１より浴室４内へミスト状態で噴出されることになる。
【００５８】
そして、運転タイマーがタイムアップしてタイマー時間が零になる、又は、停止スイッチ４９が操作されて運転停止が指令されると（ステップ１５、１６）、運転停止処理を実行して（ステップ１７）、ミスト運転を終了する。つまり、給水弁２８及びミスト開閉弁３７、３８を閉弁状態に切り換えて湯水の噴出を停止させ、循環ファン７の作動を停止して暖房運転を停止し、さらに、熱媒流量調整弁３９及び熱動弁２２を閉弁状態に切り換えて熱媒の循環作動を停止する。
【００５９】
次に、ミストサウナスイッチ４２がオン操作される前にスタンバイスイッチ５０がオン操作されている場合について説明する。
スタンバイスイッチ５０がオン操作されて予備運転が指令されると、予備運転処理を実行する。すなわち、図５に示すように、熱源機２を作動させて熱媒を循環供給可能な状態に設定し（ステップ１８、１９）、熱媒流量調整弁３９を開弁状態に切り換え（ステップ２０、２１）、さらに、熱動弁２２を開弁状態に切り換えて（ステップ２２、２３）、空調用熱交換器８及び液液熱交換器２９への熱媒の循環供給を開始する。
【００６０】
その後、熱媒サーミスタ４０の検出値が設定温度（６０℃）以上になると、循環ファン７を作動させて浴室４の暖房を行う（ステップ２４、２５、２６）。
そして、ミストサウナスイッチ４２がオン操作されると、直ちに、給水弁２８及びミスト開閉弁３７、３８を開弁状態に切り換える（ステップ２７、２８、２９）。その結果、湯水供給用流路Ｙを通してミストノズル１１に湯水が供給され、湯水供給用流路Ｙの途中に配設された液液熱交換器２９にて加熱された湯水がミストノズル１１より浴室４内へミスト状態で噴出される。
【００６１】
運転タイマーがタイムアップしてタイマー時間が零になるか、又は、停止スイッチ４９が操作されて運転停止が指令されると（ステップ３０、３１）、ステップ１７と同じ運転停止処理を実行して（ステップ３２）、ミスト運転を終了する。
【００６２】
このように、スタンバイスイッチ５０がオン操作されて予備運転が指令されて予備運転処理を実行している状態においては、ミスト噴出許可条件が満たされているか否か、つまり、浴室温サーミスタ２３にて検出される浴室４の温度がミスト用設定温度に上昇しているか否かについての判別は行われないのであり、スタンバイスイッチ５０の指令に基づいて予備運転処理を実行している状態で、ミストサウナスイッチ４２が操作されてミスト運転の開始が指令されると、ミスト噴出許可条件が満たされているか否かにかかわらず、ミスト運転処理を実行するようになっている。
【００６３】
又、ステップ２４の判別にて熱媒サーミスタ４０の検出値が設定温度（６０℃）以上になっていないと判別される状態、すなわち、循環ファン７を作動させていない状態で、ミストサウナスイッチ４２がオン操作されると、この場合にも、直ちに、給水弁２８及びミスト開閉弁３７、３８を開弁状態に切り換えるのであり、予備運転処理が終了していない状態であってもミストサウナスイッチ４２がオン操作されるとミスト運転処理を実行するようになっている。
【００６４】
〔別実施形態〕
以下、別実施形態を説明する。
【００６５】
（１）上記実施形態では、予備運転指令手段として予備運転を指令するための専用のスイッチであるスタンバイスイッチが設けられる構成したが、このような構成に代えて、例えば、他のスイッチを兼用する構成としてもよい。例えば、ミストサウナスイッチを押し操作スイッチにて構成し、その押し操作スイッチを設定時間より短い短時間だけ押し操作するとミスト運転を指令し、設定時間より長い時間押し操作すると予備運転を指令するように予備運転指令手段としての機能を持たせるように構成したり、あるいは、他のスイッチ、例えば乾燥スイッチと換気スイッチとを同時に数秒間以上操作することで予備運転指令手段としての機能を持たせるようにする等、予備運転指令手段としては種々の構成で実施することができる。
【００６６】
（２）上記実施形態では、温風を浴室内に吹出して浴室を暖房する浴室暖房手段が備えられ、運転制御手段が、予備運転処理として、通流状態切換手段を閉弁状態に切り換えた状態で液液熱交換器を作動させることに加えて、浴室暖房手段を作動させるように構成されるものを例示したが、このような構成に代えて、予備運転処理として、通流状態切換手段を閉弁状態に切り換えてその状態を維持する処理を実行し、浴室暖房手段を作動させないように構成するものでもよい。
【００６７】
そして、このように、予備運転処理として通流状態切換手段を閉弁状態に切り換えてその状態を維持する処理を実行し、浴室暖房手段を作動させない構成のものにおいて、湯水供給用流路における熱交換器の近くに位置する流路部分における湯水の温度を検出する湯水温度検出手段が、設定温度以上の温度を検出すると、ミスト噴出許可条件が満たされたものとしてミスト運転処理を実行するように構成するものでもよい。
【００６８】
（３）上記実施形態では、湯水供給用流路における液液熱交換器よりも湯水通流方向下手側から分岐する状態で排水路が設けられ、通流状態切換手段が、湯水供給用流路における液液熱交換器よりも湯水通流方向上手側に位置する給水弁と湯水供給用流路における液液熱交換器よりも湯水通流方向下手側に位置するミスト開閉弁とを夫々備えて構成されるものを例示したが、排水路を備えない構成として、通流状態切換手段として、給水弁及びミスト開閉弁のうちのいずれか一方だけを備える構成としてもよい。
【００６９】
（４）上記実施形態では、ミストノズルが一対備えられ、ミスト運転を実行するときは、それら一対のミストノズルから湯水を噴出させる構成としたが、いずれか１つのミストノズルからのみ湯水を噴出させる少量噴出モードに切り換え可能に構成するものでもよい。又、ミストノズルを一対設けるものに限らず、１つのミストノズルを備える構成としてもよい。
【００７０】
（５）上記実施形態では、ミストサウナ装置をミストサウナ機能付き浴室暖房乾燥機に適用した場合について説明したが、ミストサウナ機能だけを備えるミストサウナ専用の装置であってもよい。
【符号の説明】
【００７１】
３      運転制御手段
４      浴室
１１    ミストノズル
２３    浴室温度検出手段
２９    加熱手段
４２    ミスト運転指令手段
５０    予備運転指令手段
Ａ      浴室暖房手段
Ｒ１    浴室側のリモコン操作部
Ｒ２    脱衣室側のリモコン操作部
Ｙ      湯水供給用流路
【図１】
2010233638.tif 000003
【図２】
2010233638.tif 000004
【図３】
2010233638.tif 000005
【図４】
2010233638.tif 000006
【図５】
2010233638.tif 000007